(57)【要約】【課題】固形の化粧料や薬剤等に含まれる有効成分を、確実かつ容易に人体の体表部に塗布できる美容健康器具を得る。【解決手段】塗布面１８ａに開口した塗布孔１９を有するケース１２と、常温下で固形の基剤３０と、ケース１２の内部空間１５に配されて基剤３０を収容する基剤収容部２０と、上記内部空間１５に収められて、一端の導通路断面が基剤３０を受け入れ可能な大きさとされ、他端が塗布孔１９に連通する状態に配置された基剤導通部材２１と、基剤収容部２０に収容された基剤３０を、基剤導通部材２１の上記一端内に案内する案内通路２０と、基剤導通部材２１を加温して、その内部に導入されている基剤３０を溶融させる加温手段とから美容健康器具１を構成する。【選択図】図２
2020174788.tif 000002
【特許請求の範囲】
【請求項１】
人体の体表部に塗布されて美容効果および保健効果の少なくとも一方を奏する成分を塗布する美容健康器具であって、
内部空間を画成する壁部を有し、この壁部の一部が、前記成分を塗布するための塗布面およびこの塗布面に開口した塗布孔を有する塗布部とされたケースと、
前記成分を含む常温下で固形の基剤と、
前記ケースの内部空間に配された、前記基剤を収容する基剤収容部と、
前記ケースの内部空間に収められた導通部材であって、一端の導通路断面が前記基剤を受け入れ可能な大きさとされ、他端が前記塗布孔に連通する状態に配置された基剤導通部材と、
前記基剤収容部に収容された前記基剤を、前記基剤導通部材の前記一端内に案内する案内通路と、
前記基剤導通部材を加温して、この基剤導通部材の内部に前記一端から導入されている前記基剤を溶融させる加温手段と、
からなる美容健康器具。
【請求項２】
前記加温手段が、前記基剤導通部材の一部に取り付けられる発熱部を有するものであり、
前記発熱部が、前記基剤導通部材の前記一端よりも前記他端に近い部分に取り付けられている請求項１記載の美容健康器具。
【請求項３】
前記加温手段が、電力によって発熱する発熱部を有するものであり、
前記電力を供給する電池を収容する電池収容部が前記ケースと一体的に設けられている請求項１または２記載の美容健康器具。
【請求項４】
前記発熱部が複数のＰＴＣヒータからなり、
これらのＰＴＣヒータが、前記基剤導通部材の周方向に並べて設置されている請求項３記載の美容健康器具。
【請求項５】
前記複数のＰＴＣヒータが互いに導線によって接続されており、
前記導線が、前記基剤導通部材の周方向に沿って配設されている請求項４記載の美容健康器具。
【請求項６】
前記加温手段が、前記基剤導通部材内で前記基剤を溶融させる温度が５０〜９０℃になるように該基剤導通部材を加温するものである請求項１から５いずれか１項記載の美容健康器具。
【請求項７】
前記加温手段が、溶融して前記塗布孔から前記塗布面に流出する基剤の温度が３２〜４７℃になるように前記基剤導通部材を加温するものである請求項１から６いずれか１項記載の美容健康器具。
【請求項８】
前記基剤導通部材が、前記一端から前記他端に向かって導通路断面が次第に小さくなる傘型状の部材である請求項１から７いずれか１項記載の美容健康器具。
【請求項９】
前記基剤導通部材が、円形の導通路断面を有するものである請求項８記載の美容健康器具。
【請求項１０】
前記基剤導通部材が金属からなる請求項１から９いずれか１項記載の美容健康器具。
【請求項１１】
前記基剤収容部に収容された前記基剤を、前記基剤導通部材内に向けて押し込む押込み手段がさらに設けられている請求項１から１０いずれか１項記載の美容健康器具。 
【請求項１２】
前記ケースが概略棒状に形成されている請求項１から１１いずれか１項記載の美容健康器具。
【請求項１３】
前記成分が、顔のシワを改善する効果を有するものである請求項１から１２いずれか１項記載の美容健康器具。 
【請求項１４】
請求項１に記載の美容健康器具を構成する塗布具であって、
内部空間を画成する壁部を有し、この壁部の一部が、前記成分を塗布するための塗布面およびこの塗布面に開口した塗布孔を有する塗布部とされたケースと、
このケースの内部空間に配され、前記成分を含む常温下で固形の基剤を収容する基剤収容部と、
前記ケースの内部空間に収められた導通部材であって、一端の導通路断面が前記基剤を受け入れ可能な大きさとされ、他端が前記塗布孔に連通する状態に配置された基剤導通部材と、
前記基剤収容部に収容された前記基剤を、前記基剤導通部材の前記一端内に案内する案内通路と、
前記基剤導通部材を加温して、この基剤導通部材の内部に前記一端から導入されている前記基剤を溶融させる加温手段と、
からなる塗布具。
【請求項１５】
前記加温手段が、前記基剤導通部材内で前記基剤を溶融させる温度が５０〜９０℃になるように該基剤導通部材を加温するものである請求項１４記載の塗布具。
【請求項１６】
前記基剤導通部材が、前記一端から前記他端に向かって導通路断面が次第に小さくなる傘型状の部材である請求項１４または１５記載の塗布具。
【請求項１７】
前記基剤導通部材が、円形の導通路断面を有するものである請求項１６記載の塗布具。
【発明の詳細な説明】
【技術分野】
【０００１】
本発明は美容健康器具、より詳しくは、化粧料や薬剤等を人体の体表部に塗布する美容健康器具に関するものである。本発明はさらに、上述の美容健康器具を構成する塗布具に関するものである。
【背景技術】
【０００２】
従来、流動性の有る化粧料や薬剤等を人体の体表部に塗布するに当たり、塗布を容易にするため、あるいは心地良い使用感を得るため、さらには血行促進などの生理効果を得るため等の種々の目的のために、化粧料や薬剤を加温して塗布することが考えられている。そして、そのような塗布を実現する器具類も、例えば特許文献１、２に示されているように種々提案されている。
【０００３】
具体的に説明すると、特許文献１に示された塗布器具（塗布用デバイス）は、液状等の美容用品を貯える容器と、塗布表面を有して上記容器に取り付けるのに適するように形成された塗布部材と、この塗布部材の塗布表面に開口した塗布孔と上記容器の出口とを連通する細い直管状の送出導管と、この送出導管を取り巻くように配置された抵抗線等の電気的加熱エレメントとを備えてなるものである。この塗布器具を用いて美容用品を人体の体表部に塗布する際には、容器内の美容用品が送出導管を通って塗布表面の塗布孔まで流れるとき、電気的加熱エレメントによって美容用品が加熱され、また同様に塗布表面も加熱されるので、上述した種々の目的を達成できると考えられている。
【０００４】
他方、特許文献２に示された塗布器具は、
人体の体表部に塗布されて美容効果および保健効果の少なくとも一方を与える流動性の内容物を貯蔵する貯蔵部と、該内容物が流出する出口と、外部から受けた力により内容物を上記出口から流出させる送出し部とを備えたカートリッジと、
このカートリッジを取外し可能に収容する筐体と、
この筐体の一部に設けられ、該筐体に収容されたカートリッジの上記出口に整合する排出口を有すると共に、上記出口および排出口から流出した内容物を人体の体表部に塗布するための塗布面を有する塗布部と、
電力を受けて上記塗布面を加温または冷却する温度作用部と、
上記電力を供給する電源部と
を有して、美容健康器具として構成されたものである。この美容健康器具を用いる場合も、使用者の体表部を塗布面によって加温しながら化粧料等を塗布可能である。
【先行技術文献】
【特許文献】
【０００５】
【特許文献１】特許第５８４４３７０号公報
【特許文献２】再表２０１７／０７７７０９号公報
【発明の概要】
【発明が解決しようとする課題】
【０００６】
ところで、人体の体表部に塗布される化粧料や薬剤としては、流動性を有する液状のものの他、本来固形のもの、つまり流動性が無いペレット状のものや、あるいは流動性が極めて低いゼリー状あるいはペースト状のもの等も存在する。これらの固形の化粧料や薬剤は、例えばゼリー状あるいはペースト状のものにあっては、加圧して薄く伸ばして体表部に塗布することができる。またそれらの固形の化粧料や薬剤は、加温して溶融状態にして体表部に塗布することも可能である。
【０００７】
上述のように固形の化粧料や薬剤を溶融状態にして体表部に塗布する上でも、従来の塗布器具を使用できれば便利である。しかし特許文献２に示された塗布器具は、塗布面を加温するように構成されたものであって、固形の化粧料や薬剤を溶融することに対処できるものではない。
【０００８】
一方、特許文献１は、そこに示された塗布器具（塗布用デバイス）に関し、容器に貯えられる美容用品が、液体状のものの他に、ペースト状または固体状の粘稠度の製品である可能性についても言及している（段落００５６）。しかし特許文献１は同時に、上述のような粘稠度の製品は加熱後であっても、塗布表面に向けて送られる通路のオリフィスを全く通過できないかまたは通過するのが困難であることを指摘している（段落００７１）。つまり特許文献１は、そこに示す塗布器具は、ペースト状または固体状の粘稠度の美容用品には対応困難であることを示している。
【０００９】
本発明は上記の事情に鑑みてなされたものであり、本来固形の化粧料や薬剤等に含まれる有効成分を、確実かつ容易に人体の体表部に塗布できる美容健康器具を提供することを目的とする。本発明はさらに、上述のような美容健康器具を構成する塗布具を提供することを目的とする。
【課題を解決するための手段】
【００１０】
本発明による美容健康器具は、
人体の体表部に塗布されて美容効果および保健効果の少なくとも一方を奏する成分を塗布する美容健康器具であって、
内部空間を画成する壁部を有し、この壁部の一部が、上記成分を塗布するための塗布面およびこの塗布面に開口した塗布孔を有する塗布部とされたケースと、
上記成分を含む常温下で固形の基剤と、
上記ケースの内部空間に配された、基剤を収容する基剤収容部と、
上記ケースの内部空間に収められた導通部材であって、一端の導通路断面が上記基剤を受け入れ可能な大きさとされ、他端が上記塗布孔に連通する状態に配置された基剤導通部材と、
基剤収容部に収容された基剤を、基剤導通部材の上記一端内に案内する案内通路と、
基剤導通部材を加温して、この基剤導通部材の内部に上記一端から導入されている基剤を溶融させる加温手段と、
からなることを特徴とするものである。
【００１１】
なお上記「固形の基剤」は、ペレット状の基剤は勿論、その他ゼリー状やペースト状等のいわゆる半固形の基剤も含むものとする。また上記の案内通路は、基剤収容部の一部を使って構成されてもよい。
【００１２】
ここで本発明の美容健康器具においては、
上記加温手段が、基剤導通部材の一部に取り付けられる発熱部を有するものであり、
そしてその発熱部が、基剤導通部材の上記一端よりも他端に近い部分に取り付けられている、
ことが望ましい。
【００１３】
また本発明の美容健康器具においては、
加温手段が、電力によって発熱する発熱部を有するものであり、
その発熱部に電力を供給する電池を収容する電池収容部が、ケースと一体的に設けられている、
ことが望ましい。なお、上記の「ケースと一体的に設けられ」とは、ケース内部に設けられること、ケースに付加する形で設けられることの双方を意味するものである。
【００１４】
また本発明の美容健康器具においては、
電力によって発熱する発熱部が複数のＰＴＣヒータからなり、
これらのＰＴＣヒータが、基剤導通部材の周方向に並べて設置されている、
ことが望ましい。
【００１５】
上述のような複数のＰＴＣヒータは互いに導線によって接続され、
その導線は、基剤導通部材の周方向に沿って配設されている、
ことが望ましい。
【００１６】
また加温手段は、基剤導通部材内で基剤を溶融させる温度が５０〜９０℃になるように該基剤導通部材を加温するものであることが望ましい。
【００１７】
さらに加温手段は、溶融して塗布孔から塗布面に流出する基剤の温度が３２〜４７℃になるように基剤導通部材を加温するものであることが望ましい。
【００１８】
他方、基剤導通部材は、導通路断面が基剤を受け入れ可能な大きさとされた一端から他端に向かって導通路断面が次第に小さくなる傘型状の部材であることが望ましい。そのように形成された基剤導通部材は、円形の導通路断面を有するものであることが特に望ましい。
【００１９】
また基剤導通部材は、金属からなるものであることが望ましい。
【００２０】
また本発明の美容健康器具においては、基剤収容部に収容された基剤を、基剤導通部材内に向けて押し込む押込み手段がさらに設けられていることが望ましい。
【００２１】
また本発明の美容健康器具を構成するケースは、概略棒状に形成されていることが望ましい。
【００２２】
また、基剤を構成する前述の成分、つまり人体の体表部に塗布されて美容効果および保健効果の少なくとも一方を奏する成分として具体的には、顔のシワを改善する効果を有するものが挙げられる。
【００２３】
本発明はさらに、以上述べた通りの美容健康器具を構成する塗布具を提供するものである。この本発明による塗布具は、
内部空間を画成する壁部を有し、この壁部の一部が、上記成分を塗布するための塗布面およびこの塗布面に開口した塗布孔を有する塗布部とされたケースと、
このケースの内部空間に配され、上記成分を含む常温下で固形の基剤を収容する基剤収容部と、
上記ケースの内部空間に収められた導通部材であって、一端の導通路断面が基剤を受け入れ可能な大きさとされ、他端が上記塗布孔に連通する状態に配置された基剤導通部材と、
基剤収容部に収容された基剤を、基剤導通部材の上記一端内に案内する案内通路と、
基剤導通部材を加温して、この基剤導通部材の内部に上記一端から導入されている基剤を溶融させる加温手段と、
からなることを特徴とするものである。
【００２４】
本発明による塗布具において、上記加温手段は、基剤導通部材内で基剤を溶融させる温度が５０〜９０℃になるように該基剤導通部材を加温するものであることが望ましい。
【００２５】
また、本発明による塗布具において、基剤導通部材は、導通路断面が基剤を受け入れ可能な大きさとされた一端から他端に向かって導通路断面が次第に小さくなる傘型状の部材であることが望ましい。そのように形成された基剤導通部材は、円形の導通路断面を有するものであることが特に望ましい。
【発明の効果】
【００２６】
本発明の美容健康器具および塗布具によれば、一端の導通路断面が基剤を受け入れ可能な大きさとされ、他端が塗布部の塗布孔に連通する状態に配置された例えば傘型状の基剤導通部材を用い、この基剤導通部材を加温手段により加温して、その内部に導入されている常温下で固形の基剤を溶融可能としたので、有効成分を含む溶融状態の基剤を塗布部の塗布孔から流出させて、確実かつ容易に人体の体表部に塗布できるようになる。
【図面の簡単な説明】
【００２７】
【図１】本発明の一実施形態による美容器具を示す斜視図
【図２】図１の美容器具を示す一部破断斜視図
【図３】図１の美容器具の要部を示す斜視図
【図４】図１の美容器具の要部を示す断面図
【図５】図１の美容器具において基剤が溶融した状態を示す概略図
【発明を実施するための形態】
【００２８】
以下、図面を参照して本発明の実施形態について説明する。図１は、本発明の一実施形態による美容器具１の外観を示す斜視図であり、図２はこの美容器具１の内部構造を示す一部破断斜視図である。これらの図に示されるように美容器具１は、ケース本体部１０と
蓋部１１とからなるケース１２を有している。これらのケース本体部１０および蓋部１１は、それぞれ例えば合成樹脂からなる壁部（樹脂壁部）１３によって形成されている。蓋部１１はケース本体部１０に対して、図１の矢印Ａ方向およびその反対方向に移動自在とされている。図１は、ケース本体部１０の一部に形成された開口１４を、蓋部１１が閉じている状態を示している。ケース１２はこの状態において、図中の左端側が有底とされた概略円筒状（つまり外観上は棒状）をなす形状とされて、内部空間１５を画成している。
【００２９】
ケース１２の図中右端側には、ケース本体部１０と一体的に形成された、例えば概略円筒状の電池収容部１６が連結されている。この電池収容部１６は、概略円筒状のケース１２の長軸方向と同じ方向に延びる状態に形成されている。電池収容部１６には、後述する発熱部に発熱用の電力を供給する電池１７が収容される。なお電池収容部１６には、電池１７を出し入れするための開口と、その開口を閉じる蓋が設けられるが、それらについては図示および詳しい説明を省略する。
【００３０】
蓋部１１がケース本体部１０に対して図１の矢印Ａ方向に移動するとき、蓋部１１は電池収容部１６の外側を該電池収容部１６に沿って移動する。なお本実施形態では、電池収容部１６がケース本体部１０に付加する形で該ケース本体部１０と一体的に形成されているが、電池収容部１６をケース本体部１０の内部に設けることによりそれらを一体化してもよい。 
【００３１】
ケース１２の図中左端面、つまりケース本体部１０の図中左端面には平坦な塗布面が形成されている。詳しくは、この部分の断面形状を示す図５に示す通り、ケース本体部１０の左端部中央において、樹脂壁部１３には円形の金属製塗布板１８が嵌め込まれ、その外表面が塗布面１８ａとされている。この塗布板１８の中央部には塗布孔１９が開口している。塗布板１８は、後述するテーパ形状の基剤導通部材２１の先端部を塗布孔１９の中に収める状態にして、この基剤導通部材２１を保持している。樹脂壁部１３および塗布板１８は、ケース１２の内部空間を画成する壁部を構成している。そして塗布面１８ａおよび塗布孔１９を有する塗布板１８は、後述する溶融基剤３０Ａを人体の体表部に塗布するための塗布部となっている。
【００３２】
次に、ケース１２の内部空間１５内の構造について説明する。ケース本体部１０の中には、該ケース本体部１０の長手方向と同方向に延びる基剤収容部２０が配置されている。この基剤収容部２０は、例えば合成樹脂からなる概略円筒状の部材が、その前端（図中の左端）より少し後端側の位置から後端までの領域でほぼ上半分が削除されてなる、樋状の部材である。上述の上半分が削除された部分は、後述するビーズ状の基剤３０が上方から通過するための開口２０ａとされている。
【００３３】
この樋状の基剤収容部２０の中には、該基剤収容部２０の長手方向と同方向に延びる基剤押込み棒３１が配設されている。この基剤押込み棒３１は例えば前記電池収容部１６と連結され、電池収容部１６を操作することにより、基剤収容部２０内で前後方向に移動自在となっている。なお基剤押込み棒３１は、電池収容部１６とは別の手段の操作によって上述のように移動自在とされてもよい。
【００３４】
基剤収容部２０の開口２０ａは、該基剤収容部２０の前端まで延びていないので、この前端の近傍部分において基剤収容部２０は円管状となっている。基剤収容部２０の前方には、例えばアルミニウムからなる傘型の基剤導通部材２１が配されている。この基剤導通部材２１は、内部が前記基剤３０を案内する導通路とされたもので、この導通路の断面形状は一例として円形である。基剤導通部材２１の一端つまり後端は、導通路断面が前記基剤３０を受け入れ可能な大きさとされ、基剤収容部２０の前端に固着されている。一方、基剤導通部材２１の他端つまり前端は、その開口が小さな塗布孔１９と連通するようにして該塗布孔１９内に収められ、塗布板１８によって保持されている。以上の通り基剤導通部材２１は、後端から前端に向かって導通路断面が次第に小さくなるテーパ形状とされている。
【００３５】
次に図３および図４を参照して、基剤導通部材２１の周辺の構造について説明する。なお、これらの図に示す基剤導通部材２１以外の構造は、図１および図２では省略している。図３に明示されるように傘型状の基剤導通部材２１の外表面上には、発熱部としての複数のＰＴＣ（Positive Temperature Coefficient）ヒータ２２が、基剤導通部材２１の周方向に並べて設置されている。これらのＰＴＣヒータ２２は複数の導線２３によって互いに接続されており、複数の導線２３も基剤導通部材２１の周方向に沿って配設されている。なお図３において、２１ａ、２１ｂはそれぞれ基剤導通部材２１の後端、前端である。同図に示されているように各ＰＴＣヒータ２２は、基剤導通部材２１の後端２１ａよりも前端２１ｂに近い部分において基剤導通部材２１に取り付けられている。
【００３６】
複数のＰＴＣヒータ２２および複数の導線２３の詳しい取付状態を、図４の断面図を参照して説明する。基剤導通部材２１の外表面上には、例えばカプトンテープ(登録商標)のようなポリイミド樹脂からなる絶縁層２６が被着され、導線２３はこの絶縁層２６の上に配設されている。また各ＰＴＣヒータ２２は、自身が備える端子２４を介して導線２３と電気的に接続され、導線２３の上には上記絶縁層２６と同様にポリイミド樹脂からなる絶縁層２５が被着されている。
【００３７】
各ＰＴＣヒータ２２は、導線２３および端子２４を介して、図２に示す電池１７から電力が供給され発熱する。これらのＰＴＣヒータ２２は、基剤導通部材２１を加温して、そこに導入されている基剤３０を溶融させる加温手段を構成する。ＰＴＣヒータ２２は、自己温度制御機能により異常な温度上昇を抑制し、無駄な消費電力を抑えるので、安全性に優れ、また消費エネルギーを低減する効果も高いものである。なお図２に示すようにケース本体部１０の内部には、上記電力の供給を制御する回路を含む基板３２が設けられ、さらに、手操作されて電力供給をＯＮ-ＯＦＦするスイッチ（図示せず）等が適宜設けられる。
【００３８】
次に、本実施形態の美容器具１の作用について、図２を参照して説明する。この美容器具１は、美容効果を奏する成分を人体の体表部に塗布するために使用される。すなわち、美容器具１に含まれるビーズ状の基剤３０は、美容効果の一つとして顔のシワを改善する効果を奏する成分を含むものである。なお基剤３０は、常温下で固形のものである。美容器具１を使用する際には、図２表示の状態から蓋部１１が矢印Ａ方向に移動され、ケース本体部１０に形成されている開口１４が開かれる。
【００３９】
そこで基剤３０が、この開口１４および基剤収容部２０の開口２０ａを通して、上方から基剤収容部２０内に収容される。基剤３０は、基剤押込み棒３１が前述のようにして前方に移動されることにより、この基剤押込み棒３１によって基剤導通部材２１の中に押し込められる。以上の通り本実施形態では、基剤収容部２０の一部が、基剤３０を基剤収容部２０から基剤導通部材２１の後端まで案内する案内通路も構成している。ただしそれに限らず、上述のような案内通路を基剤収容部２０とは別体に設けてもよい。また、上述の基剤押込み棒３１は特に設けないで、ケース１２を適宜傾けることにより、基剤３０を基剤導通部材２１の中に収めるようにしてもよい。そのような手法は、固形の基剤３０がビーズ状（ペレット状）である場合に特に好適である。
【００４０】
こうして基剤３０が基剤導通部材２１の中に押し込められた後に、あるいは押し込められる少し前に前述のスイッチが操作されて、複数のＰＴＣヒータ２２に電池１７から発熱用電力が供給される。それによりＰＴＣヒータ２２が発した熱は、基剤導通部材２１に伝えられ、さらに該基剤導通部材２１に接している基剤３０に伝えられる。常温下で固形の基剤３０は、伝えられた熱によって溶融する。
【００４１】
図５は、このときの状態を概略的に示している。すなわち、当初固形であった基剤３０は熱を受けて、流動性の有る溶融基剤３０Ａとなる。そこでケース本体部１０の姿勢が、塗布面１８ａが下方あるいは斜め下方を向く状態にされていれば、溶融基剤３０Ａは塗布孔１９を通って塗布面１８ａの辺りに流出する。この状態下で使用者が、塗布面１８ａを顔の表面に擦り付けるようにケース１２を動かせば、前述した美容効果を奏する成分を含む溶融基剤３０Ａを確実かつ容易に顔の表面に塗布することができる。なお本実施形態では、塗布孔１９を通る溶融基剤３０Ａは直接塗布孔１９に触れることはなく、その中に有る基剤導通部材２１の先端部の内面２１ａ上を流れる。
【００４２】
なお複数のＰＴＣヒータ２２は、例えば図２に示した基板３２が含む回路等により電力供給が制御されて、基剤導通部材２１あるいは基剤３０の温度を所望値に設定可能に発熱制御されることが望ましい。一例としてＰＴＣヒータ２２は、基剤導通部材２１内で基剤３０を溶融させる温度が５０〜９０℃になるように該基剤導通部材２１を加温するのが望ましい。またＰＴＣヒータ２２は、塗布面１８ａに流出する溶融基剤３０Ａの温度が３２〜４７℃になるように基剤導通部材２１を加温するのが望ましい。
【００４３】
また基剤導通部材２１は、加温手段によって効率良く、また均一に加温されるように、本実施形態におけるアルミニウムのような金属から形成されるのが好ましい。本実施形態における傘型状の基剤導通部材２１は、その内周面に固形の基剤３０を確実に密着させ得るので、基剤３０を効率良く均一に加温する効果を奏する。さらに本実施形態では、発熱する複数のＰＴＣヒータ２２および、これらのＰＴＣヒータ２２から伝熱される導線２３が、基剤導通部材２１の外壁上に周方向に並べて設置されているので、基剤３０はこの点からも効率良く均一に加温され得る。
【００４４】
また傘型状の基剤導通部材２１は、基本的に基剤収容部２０に連結させた形で保持されているので、その他の構造部品との接触面積を特に小さくすることができ、それにより、基剤３０を効率良く加温可能となる。一方ＰＴＣヒータ２２は、極めて小型に形成され得るものであるので、基剤導通部材２１の周りの構造を簡素化かつ小型化する上で有利である。
【００４５】
また前述した通りＰＴＣヒータ２２は、基剤導通部材２１の後端２１ａよりも前端２１ｂに近い部分において基剤導通部材２１に取り付けられている。そのため基剤３０は基剤導通部材２１内で、より塗布孔１９に近付いてから溶融されることになるので、溶融基剤３０Ａが溶融状態のまま円滑に塗布孔１９から流出可能となる。
【００４６】
なお、以上説明した美容器具１を構成する各種要素から基剤３０を除いた残余の要素は、溶融基剤３０Ａを体表部に塗布するための、本発明による塗布具を構成する。
【００４７】
以上、ビーズ状（ペレット状）の基剤３０を用いる実施形態について説明したが、本発明の美容健康器具は、それ以外の形状の基剤、例えばゼリー状やペースト状等のいわゆる半固形の基剤を用いることも可能である。図５には、そのような半固形の基剤４０が用いられた場合について、その基剤４０（破線表示）と基剤導通部材２１との相対位置関係も例示している。この例において半固形の基剤４０は概略円柱状のものであり、その長手方向の軸が、傘型状の基剤導通部材２１の中心軸とほぼ揃う状態にして該基剤導通部材２１に収められる。このように収められた基剤４０も、基剤導通部材２１に熱が加えられれば、その熱により効率良く加温されて溶融する。
【００４８】
また本発明の美容健康器具は、前述したシワ改善以外の美容効果を奏する成分や、さらには、美容効果ではなく保健効果、例えば疲労回復効果や痒み止め効果を奏する成分を含む基剤を適用して構成することも可能である。
【符号の説明】
【００４９】
１０    ケース本体部
１１    蓋部
１２    ケース
１３    樹脂壁部
１４    ケースの開口
１５    ケースの内部空間
１６    電池収容部
１７    電池
１８    塗布板
１８ａ  塗布面
１９    塗布孔
２０    基剤収容部
２０ａ  基剤収容部の開口
２１    基剤導通部材
２１ａ  基剤導通部材の一端（後端）
２１ｂ  基剤導通部材の他端（前端）
２２    ＰＴＣヒータ
２３    導線
２４    端子
２５、２６    絶縁層
３０、４０    基剤
３０Ａ  溶融基剤
３１    基剤押込み棒
３２    基板
【図１】
2020174788.tif 000003
【図２】
2020174788.tif 000004
【図３】
2020174788.tif 000005
【図４】
2020174788.tif 000006
【図５】
2020174788.tif 000007